(57)【要約】【課題】空調機との連動運転や集中管理制御を行う部品を電装箱内にコンパクトに納めることができ、全熱交換型換気装置を小型化することができることを目的とする。【解決手段】電装箱５は、本体部７と扉部８とで構成され、本体部７には、ダンパー４、給気ファンモータ２と排気ファンモータ３接続する制御線９と、それらの開閉器１０を有する電源部１１を備え、扉部８には、ダンパー４、給気ファンモータ２と排気ファンモータ３の運転制御、および外部通信機器との通信を行なう制御基板１２を有する制御部１３を備え、扉部８は、本体部７とヒンジ１４で開閉可能に設けられるとともに、電源部１１と制御部１３とが接続線１５で接続されたという構成にしたことにより、空調機との連動運転や集中管理制御を行う部品を電装箱５内にコンパクトに納めることができ、全熱交換型換気装置６を小型化することができる。【選択図】図１
2014181872.tif 000002
【特許請求の範囲】
【請求項１】
室内の空気と屋外の空気を換気する際に熱交換するための全熱交換素子と、
屋外の空気を室内に取り入れるための給気ファンモータと、
室内の空気を屋外に排出するための排気ファンモータと、
熱交換換気と熱交換せず外気を直接取り入れるバイパス換気を切り替えるダンパーと、
電装箱を備えた全熱交換型換気装置において、
前記電装箱は、本体部と扉部とで構成され、
前記本体部には、前記ダンパー、前記ファンモータと接続する制御線と、それらの開閉器を有する電源部を備え、
前記扉部には、前記ダンパー、前記ファンモータの運転制御、および外部通信機器との通信を行なう基板を有する制御部を備え、
前記扉部は、前記本体部とヒンジで開閉可能に設けられるとともに、前記電源部と前記制御部とが接続線で接続されたことを特徴とした全熱交換型換気装置。
【請求項２】
電源部は、取替え可能な開閉器を備えた請求項１記載の全熱交換型換気装置。
【請求項３】
制御部は、取替え可能な制御基板を備えた請求項１または２に記載の全熱交換型換気装置。
【請求項４】
本体部の端面部にシール材を設け、扉部を閉じた時にシール材と密着する請求項１〜３いずれかひとつに記載の全熱交換型換気装置。
【請求項５】
本体部は、ヒンジを設けた面と対向する側面の深さを浅くした請求項１〜４いずれかひとつに記載の全熱交換型換気装置。
【発明の詳細な説明】
【技術分野】
【０００１】
本発明は、主にオフィスビルや工場に設置され、空調機の省エネルギーのために使用される全熱交換器型の換気装置に関するものである。
【背景技術】
【０００２】
従来、この種の全熱交換型換気装置は、電装箱がパネルに一体として取り付けられ、電装箱の表面には蓋をビス等により固定し、電装箱内の収容空間には、モータに電源を供給するとともに、その動作を制御する回路を実装した制御基板を備えたものが知られている（例えば、特許文献１参照）。
【０００３】
以下、その全熱交換型換気装置について図５を参照しながら説明する。
【０００４】
図５に示すように、全熱交換型換気装置１０１は給気ファンモータ１０２と排気ファンモータ１０３と全熱交換素子１０４から構成されている。そして、パネル１０５に電装箱１０６を取り付け、この電装箱１０６の表面には蓋１０７を設け電装箱１０６内には制御基板１０８を備えている。このような構成により、電装箱１０６内の制御基板１０８を蓋１０７を取り外すだけで容易にメンテナンスするものである。
【先行技術文献】
【特許文献】
【０００５】
【特許文献１】特開２０１１−７５１１７号公報
【発明の概要】
【発明が解決しようとする課題】
【０００６】
このような従来の全熱交換型換気装置においては、空調機と連動運転や集中管理運転を行う場合に制御回路部を設ける必要があり、全熱交換型換気装置の運転電圧に合わせて制御回路部の変更や、空調機がメーカーごとに異なる場合に制御通信プロトコルを変更し制御回路部を開発しなければならず、全熱交換型換気装置の機種数の増大や開発期間の長期化や施工の煩雑化になる、という課題を有していた。
【０００７】
そこで本発明は、上記従来の課題を解決するものであり、空調機との連動運転や集中管理制御を行う部品を電装箱内にコンパクトに納めることができ、全熱交換型換気装置を小型化することができる全熱交換型換気装置を提供することを目的とする。
【課題を解決するための手段】
【０００８】
そして、この目的を達成するために、本発明は、室内の空気と屋外の空気を換気する際に熱交換するための全熱交換素子と、屋外の空気を室内に取り入れるための給気ファンモータと、室内の空気を屋外に排出するための排気ファンモータと、熱交換換気と熱交換せず外気を直接取り入れるバイパス換気を切り替えるダンパーと、電装箱を備えた全熱交換型換気装置において、前記電装箱は、本体部と扉部とで構成され、前記本体部には、前記ダンパー、前記ファンモータと接続する電線と、それらの開閉器を有する電源部を備え、前記扉部には、前記ダンパー、前記ファンモータの運転制御、および外部通信機器との通信を行なう基板を有する制御部を備え、前記扉部は、前記本体部とヒンジで開閉可能に設けられるとともに、前記電源部と前記制御部とが制御線および電源線で接続されたこととしたものであり、これにより所期の目的を達成するものである。
【発明の効果】
【０００９】
本発明によれば、室内の空気と屋外の空気を換気する際に熱交換するための全熱交換素子と、屋外の空気を室内に取り入れるための給気ファンモータと、室内の空気を屋外に排出するための排気ファンモータと、熱交換換気と熱交換せず外気を直接取り入れるバイパス換気を切り替えるダンパーと、電装箱を備えた全熱交換型換気装置において、前記電装箱は、本体部と扉部とで構成され、前記本体部には、前記ダンパー、前記ファンモータと接続する電線と、それらの開閉器を有する電源部を備え、前記扉部には、前記ダンパー、前記ファンモータの運転制御、および外部通信機器との通信を行なう基板を有する制御部を備え、前記扉部は、前記本体部とヒンジで開閉可能に設けられるとともに、前記電源部と前記制御部とが制御線および電源線で接続されたという構成にしたことにより、電装箱内に電源部と制御部をそれぞれ別で設けることにより、電装箱内の本体側面側と電装箱内の蓋側のスペースを活用することとなるので、空調機との連動運転や集中管理制御を行う部品を電装箱内にコンパクトに納めることができ、全熱交換型換気装置を小型化することができる、という効果を得ることができる。
【図面の簡単な説明】
【００１０】
【図１】本発明の実施の形態１、２、３の全熱交換型換気装置の構成図
【図２】同構成図
【図３】本発明の実施の形態４の電装箱の形態の構成図
【図４】同構成図
【図５】従来の全熱交換器一体型の外気処理空気調和機の構成を示す図
【発明を実施するための形態】
【００１１】
本発明の請求項１記載の全熱交換型換気装置は、室内の空気と屋外の空気を換気する際に熱交換するための全熱交換素子と、屋外の空気を室内に取り入れるための給気ファンモータと、室内の空気を屋外に排出するための排気ファンモータと、熱交換換気と熱交換せず外気を直接取り入れるバイパス換気を切り替えるダンパーと、電装箱を備えた全熱交換型換気装置において、前記電装箱は、本体部と扉部とで構成され、前記本体部には、前記ダンパー、前記ファンモータと接続する電線と、それらの開閉器を有する電源部を備え、前記扉部には、前記ダンパー、前記ファンモータの運転制御、および外部通信機器との通信を行なう基板を有する制御部を備え、前記扉部は、前記本体部とヒンジで開閉可能に設けられるとともに、前記電源部と前記制御部とが制御線および電源線で接続された、という構成を有する。これにより、電装箱内に電源部と制御部をそれぞれ別で設けることにより、電装箱内の本体側面側と電装箱内の蓋側のスペースを活用することとなるので、空調機との連動運転や集中管理制御を行う部品を電装箱内にコンパクトに納めることができ、全熱交換型換気装置を小型化することができる、という効果を奏する。
【００１２】
また、電装箱の蓋を開けた際、制御部、電源部が表側に露出した状態になるので、メンテナンスが容易である。
【００１３】
また、電源部は、取替え可能な開閉器を備え、本体の設置場所の電源が異なる場合には開閉器を取り替えることで空調機との連動制御や集中制御を可能とした、という構成にしてもよい。これにより、本体の設置場所の電圧に合わせて電源部の開閉器を取り替えることにより、制御部の制御基板は取り替えることなく空調機との連動運転や集中制御を行うこととなるので、設置場所の電源と空調機の通信仕様の組み合わせに合わせて、何種類も電源部と制御部が一体となった基盤を空調機と連動運転や集中管理運転を行うために揃える必要がない、という効果を奏する。
【００１４】
また、制御部は、取替え可能な制御基板を備え、空調機の通信仕様に合わせ選択可能とし、設置場所の空調機の通信仕様に合わせて取り付けることで空調機との連動運転や集中制御を可能とした、という構成にしてもよい。これにより、空調機の通信仕様に合わせて制御部の制御基板を取り替えることにより、電源部は取り替えることなく空調機との連動運転や集中制御を行うこととなるので、設置場所の電源と空調機の通信仕様の組み合わせに合わせて、何種類も電源部と制御部が一体となった基盤を空調機と連動運転や集中管理運転を行うために揃える必要がない、という効果を奏する。
【００１５】
また、本体部の端面部にシール材を設け、水などの浸入を防ぐとともに扉部を閉じた時に密閉性を高めた、という構成にしてもよい。これにより、本体部の端面にシール材を設けることにより、本体部の上面を伝わってくる水などの流入を防止し、扉部を閉じた時に密閉性を高めることとなるので、シール材により、水などの流入防止し、扉部を閉じた時に密閉性を高めることにより、電源部や制御部への水や埃が付着することによる不安全事象を低減させることができる、という効果を奏する。
【００１６】
また、本体部は、ヒンジ側の対面の深さを浅くしたことで作業性を向上させた、という構成にしてもよい。これにより、ヒンジ側の対面の深さを浅くすることにより、電源部と制御部が作業方向から見やすくなり、手が入るスペースを確保できることとなるので、作業方向から見やすくなり、作業スペースを確保することで作業効率が向上することができる、という効果を奏する。
【００１７】
以下、本発明の実施の形態について図面を参照しながら説明する。
【００１８】
（実施の形態１）
図１は、本実施の形態の全熱交換型換気装置の構成を示す図である。
【００１９】
図２は、電装箱の形態の構成を示す図である。
【００２０】
本実施の形態の全熱交換型換気装置６は、図１に示すように、全熱交換素子１と給気ファンモータ２と排気ファンモータ３とダンパー４と電装箱５とで構成される。全熱交換素子１は、室内の空気と屋外の空気を換気する際に、室内の空気と屋外の空気との間で熱交換を行う。給気ファンモータ２は、屋外の空気を室内に取り入れる。排気ファンモータ３は、室内の空気を屋外に排出する。ダンパー４は、熱交換換気と熱交換せず外気を直接取り入れるバイパス換気を切り替える。
【００２１】
図２に示すように、電装箱５は、５面で構成された本体部７と５面で構成された扉部８とで構成される。本体部７には、ダンパー４、給気ファンモータ２と排気ファンモータ３に対して動作電源を供給する制御線９と、それらの動作電源を開閉する開閉器１０を有する電源部１１が備えられている。扉部８の内部には、ダンパー４、給気ファンモータ２と排気ファンモータ３の運転制御、および空調機など外部機器との連動運転通信を行なう電子回路を設けた制御基板１２を有する制御部１３が備えられている。扉部８には、本体部７との上面、及び下面の重なり部分で開閉機構の軸となる部分に扉部８と本体部７とを軸部分で結合するヒンジ１４が設けられている。このヒンジ１４によって、扉部８は、本体部７に対して開閉可能となる。そして、電装箱５では、本体部７に設けた電源部１１と扉部８に設けた制御部１３が重なり合うようになる。また、電源部１１と制御部１３とを接続線１５で接続し、電装箱５は、本体側側面１６に取り付けられる。
【００２２】
このような構成により、電装箱５の内部に電源部１１と制御部１３をそれぞれ別で設けることにより、電装箱５の内部の本体側側面１６と電装箱５の蓋側のスペースを活用することができる。
【００２３】
電源部１１は、取替え可能な開閉器１０を備えている。全熱交換型換気装置６と空調機１７との電源電圧１８が異なる場合、例えば全熱交換型換気装置６が１００Ｖの電源電圧を必要とし、空調機１７が２００Ｖの電源電圧を必要とする場合には、開閉器１０を２００Ｖ用に取り替える。このようにすれば、空調機１７と同じ電源電圧１８を共有することができ、電源電圧１８を２種類必要とすることがなくなる。すなわち、電源電圧工事を煩雑にすることがなく簡単に施工できる。また、設置場所の電源電圧１８と空調機１７の通信仕様の組み合わせに合わせて、何種類も電源部１１と制御部１３が一体となった制御基板を揃える必要がなく、電装箱５の種類の削減を可能としたものである。
【００２４】
制御部１３は、取替え可能な制御基板１２を備えている。この制御部１３は、空調機１７の通信仕様に合わせ選択できるものである。このような構成により、電源部１１は取り替えることなく空調機１７との連動運転や集中制御が可能となる。すなわち、設置場所の電源電圧１８と空調機１７の通信仕様の組み合わせに合わせて、空調機１７との連動運転や集中管理運転を行うために、電源機能と制御機能を一体化した制御基板を何種類も揃える必要が無くなる。
【００２５】
図３は、電装箱５における本体部７と扉部８の接合部の詳細を示す図である。
【００２６】
図３に示すように、本体部７の端面部１９には、シール材２０が設けられる。そして、扉部８を閉じた時には、本体部７と扉部８の端部が密着して接合する。このような構成により、本体部７の上面２１を伝わってくる水などの電装箱５への流入を防止し、電源部１１や制御部１３への水や埃が付着することによる不安全事象を低減させることができる。
【００２７】
図４は、電装箱５の形状を示す図である。
【００２８】
本体部７は、ヒンジ１４を設けた面と対向するヒンジ側対面２２の深さを浅くしたものである。このような構成によれば、電源部１１と制御部１３が施工時の作業方向２３から見やすくなるとともに、手が入るスペースを確保できることとなり作業効率が向上することができる。
【産業上の利用可能性】
【００２９】
本発明にかかる全熱交換型換気装置は、空調機との連動運転や集中管理制御を行う部品を電装箱内にコンパクトに納めることができ、全熱交換型換気装置を小型化することに有用である。
【符号の説明】
【００３０】
１  全熱交換素子
２  給気ファンモータ
３  排気ファンモータ
４  ダンパー
５  電装箱
６  全熱交換型換気装置
７  本体部
８  扉部
９  制御線
１０  開閉器
１１  電源部
１２  制御基板
１３  制御部
１４  ヒンジ
１５  接続線
１６  本体側側面
１７  空調機
１８  電源電圧
１９  端面部
２０  シール材
２１  上面
２２  ヒンジ側対面
２３  作業方向
【図１】
2014181872.tif 000003
【図２】
2014181872.tif 000004
【図３】
2014181872.tif 000005
【図４】
2014181872.tif 000006
【図５】
2014181872.tif 000007